(57)【要約】【課題】従来のコロナ放電を用いた除電方式による問題を解消した新規な除電方式及び除電器を提供する。【解決手段】被除電物に交流電圧が印加された放射電極４と電場分線電極２間に発生した電場を送る風力を発生する送風手段５とを有し、放射電極４と電場分線電極２間に発生した電場を送風手段５が発生する風力により被除電物へと送り、被除電の帯電を除去する。【選択図】図１
2007194181.tif 000002
【特許請求の範囲】
【請求項１】
被除電物の帯電電圧より高い交流電圧が印加された放電電極と、前記放電電極から少なくとも１ｃｍ以上離れて設けられ、接地された接地電極との間に発生した電荷を、風力により前記被除電物へと送り、前記被除電物の帯電を除去することを特徴とする除電方式。
【請求項２】
請求項１記載の除電方式において、
前記接地電極は、導電性部材により形成された網部材からなることを特徴とする除電方式。
【請求項３】
被除電物の帯電電圧より高い交流電圧が印加された放電電極と、
前記放電電極から少なくとも１ｃｍ以上離れて設けられ、接地された接地電極と、
前記放電電極と前記接地電極間に発生した電荷を送る風を発生する送風手段とを有し、
前記放電電極と前記接地電極間に発生した電荷を、前記送風手段が発生する風力により前記被除電物へと送り、前記被除電物の帯電を除去することを特徴とする除電器。
【請求項４】
請求項３記載の除電器において、
前記接地電極は、導電性部材により形成された網部材からなることを特徴とする除電器。
【発明の詳細な説明】
【技術分野】
【０００１】  本発明は、被除電物の帯電を除去する除電方式及び除電器に関する。
【背景技術】
【０００２】  従来、作業所等で静電気に帯電した被除電物の帯電を除去するには、放電電極と接地電極間に高電圧を印加してコロナ放電させて、空気をイオン化し、これを風力等で被除電物に吹き付けて除電することが行われていた。【０００３】  しかしながら、放電電極と接地電極間に高電圧を印加してコロナ放電させるとオゾンが大量に発生する。オゾンは人体に対して毒性があり、作業環境として望ましくない（非特許文献１参照）。【０００４】  また、コロナ放電により電磁波が発生し、被除電物がＩＣ等の電子部品の場合は、電磁波により誤動作したり、電磁波が強力な場合にはＩＣ等が破壊されたりすることがある。【０００５】  また、被除電物の帯電を除去するためには風力等により強力にイオン化した空気を吹き付ける必要があり、作業員の呼吸を害したり、軽量な被除電物を飛散させたりする。【０００６】  また、コロナ放電による除電方法は、コロナ放電時に発生する波形が非常に悪く、これにつれてイオンバランスが悪く、被除電物に逆極性の帯電が発生することがあり、十分な除電効果を得ることができない。
【非特許文献１】「オゾンの生体への影響」山口裕
【発明の開示】
【発明が解決しようとする課題】
【０００７】  このように従来のコロナ放電を用いた除電方法には様々な問題があった。【０００８】  本発明の目的は、従来のコロナ放電を用いた除電方法による問題を解消した新規な除電方式及び除電器を提供することにある。
【課題を解決するための手段】
【０００９】  本発明の一態様による除電方式は、被除電物の帯電電圧より高い交流電圧が印加された放電電極と、前記放電電極から少なくとも１ｃｍ以上離れて設けられ、接地された接地電極との間に発生した電荷を、風力により前記被除電物へと送り、前記被除電物の帯電を除去することを特徴とする。【００１０】  上述した除電方式において、前記接地電極は、導電性部材により形成された網部材からなるようにしてもよい。【００１１】  本発明の一態様による除電器は、被除電物の帯電電圧より高い交流電圧が印加された放電電極と、前記放電電極から少なくとも１ｃｍ以上離れて設けられ、接地された接地電極と、前記放電電極と前記接地電極間に発生した電荷を送る風を発生する送風手段とを有し、前記放電電極と前記接地電極間に発生した電荷を、前記送風手段が発生する風力により前記被除電物へと送り、前記被除電物の帯電を除去することを特徴とする。【００１２】  上述した除電器において、前記接地電極は、導電性部材により形成された網部材からなるようにしてもよい。【００１３】  上述した除電器において、導電性部材により形成された前記網部材は線材を編んで形成したものであってもよい。【００１４】  上述した除電器において、導電性部材により形成された前記網部材に更に他の網部材を重ねてもよい。【００１５】  上述した除電器において、前記交流電圧は、波形がほぼ正確な正弦波である商用周波数の交流電圧を昇圧したものであってもよい。
【発明の効果】
【００１６】  以上の通り、本発明によれば、被除電物の帯電電圧より高い交流電圧が印加された放電電極と、放電電極から少なくとも１ｃｍ以上離れて設けられ、接地された接地電極との間に発生した電荷を、風力により被除電物へとへと送るようにしたので、オゾンを発生させることなく、被除電物の帯電を十分に除去することができる。
【発明を実施するための最良の形態】
【００１７】  ［一実施形態］
本発明の一実施形態による除電器について図面を用いて説明する。図１は本実施形態の除電器の構成を示す図である。【００１８】  除電器のケース１１は、耐電性が高く、絶縁良好で、耐重量性に優れた材質、例えば、ポリカーボネートにより形成されている。ケース１１内部は仕切板１９により上下の空間に分割されている。【００１９】  ケース１１下部の空間には、高電圧を発生するためのトランス１２が設けられている。トランス１２の低電圧側には、ケース１１壁部に設けられた交流電源入力８から交流電源が入力される。本実施形態では、商用周波数の交流電圧、例えば、５０Ｈｚ又は６０Ｈｚの１００Ｖの交流電圧が入力される。トランス１２の高電圧側は、一端が放電電極４に接続され、他端が接地１３されている。【００２０】  交流電源入力８とトランス１２の間には電源開閉器９が設けられている。電源開閉器９のトランス１２側にはヒューズ７が設けられている。トランス１２への交流電圧の印加をオンオフするためのトランス開閉器１０が設けられている。更に、ファンモータ５の強さを調整するための電圧調整器１５とが設けられている。【００２１】  ケース１１には、交流電圧が入力されたことを示す青色ネオンランプ１７と、交流電圧がトランス１２に印加されたことを示す赤色ネオンランプ１６が設けられている。【００２２】  ケース１１の上部空間の中央には、交流電圧を印加し、放射するための放電電極（放射電極）４が設けられている。放電電極４はトランス１２の高電圧側に接続されている。放電電極４はグラファイト繊維により形成されている。【００２３】  ケース１１の上部空間における放電電極４の右側には、接地電極２が設けられている。接地電極２は接地１４されている。接地電極２は、１枚又は複数枚の網部材により構成されている。例えば、図２に示すように、２枚の網部材２ａ、２ｂが重ね合わされている。網部材２ａ、２ｂは、例えば、太さ０．１ｍｍ径の針金を用いて、網目が２ｍｍの金網である。【００２４】  放電電極４と接地電極２によりイオンを発生するが、放電電極４と接地電極２間の距離は、従来のイオナイザーの放電電極と接地電極間の距離よりも長くなるように設定されている。【００２５】  従来のイオナイザーでは、多量のイオンを発生させるためには大きな放電電流が必要であると考え、放電電極と接地電極間の距離をできるだけ短くしている。放電電流が多くなるとオゾンが大量に発生することは避けられない。【００２６】  これに対し、本実施形態では、放電電極４と接地電極２間の距離を、従来のイオナイザーの放電電極と接地電極間の距離よりも長く、具体的には、少なくとも１ｃｍ以上になるように設定し、放電電極４に交流電圧を印加するようにしている。これにより、イオンの発生量が増加し、オゾンの発生量を抑制し、被除電物への除電効果を高めることができる。この点について原理については後述する。【００２７】  ケース１１の上部空間における放電電極４の左側にはファンモーター５が設けられている。このファンモータ５により、ケース１１の上部空間に、図１の左側から右側に流れる風力を発生させる。これにより、放電電極４と接地電極２間の空間３に発生したイオンを被除電物へと送り、その帯電を���去する。【００２８】  ファンモータ５の左側の空気の吸入口には、吸入する空気から塵埃等を除去するためのフィルタ６が設けられている。フィルタ６は例えばポリウレタンフォームにより形成されている。【００２９】  接地電極２の右側の空気の放出口には、接地電極２よりも放出口側に、異物が装置内に入るの防ぐために、金網フィルタ１が設けられている。金網フィルタ１として、例えば、網目が１０ｍｍのステンレス製の網部材等を組み合わせて形成する。この金網フィルタ１も、接地電極２と同様に、接地１４されている。【００３０】  次に、本実施形態による除電器の動作について説明する。【００３１】  静電気を除電する対象である被除電物（図示せず）に、上部空間の空気の放出口が向くようにケース１１を設置する。そして、ケース１１の交流電源入力８に商用周波数の交流電源を接続する。【００３２】  除電をする場合には、まず、ケース１１の電源開閉器９をオンする。青色ネオンランプ１７の点灯により交流電源が入力されたことを確認する。また、ファンモータ５が回転して、ケース１１の上部空間において左側の吸入口から空気を吸入して、右側の放出口に空気が放出される空気の流れが形成される。【００３３】  次に、トランス開閉器１０をオンする。ケース１１の赤色ネオンランプ１６の点灯により高電圧が印加されたことを確認する。【００３４】  次に、接地電極２を接地した状態で、被除電物に適した交流の高電圧を放電電極４に印加する。被除電物が帯電したときの耐電電圧を前もって測定又は予測しておき、その耐電電圧よりも高い交流の高電圧を印加する。【００３５】  交流の高電圧が放電電極４に印加されると、放電電極４と接地電極２との間の空間３に交流の高電圧により正イオンと負イオンとが交互に発生する。ケース１の上部空間には左側の吸入口側から右側の放出口側への空気の流れが形成されているので、放電電極４と接地電極２間の空間３に発生した正負イオン（電荷）と空気の混合気体が、ファンモータ５による風力により接地電極２と金網フィルタ１を通過して放出され、ケース１１の右側にある被除電物（図示せず）に照射される。【００３６】  正負イオン（電荷）と空気の混合気体には、正負イオン（電荷）により電場が形成されており、それが被除電物に接近又は接触すると、被除電物の静電気を除去して被除電物の帯電を除去する。【００３７】  すなわち、空間３に発生した正負イオンによるイオン線（イオン線条）が、接地電極２である金網の各網目を通過して、被除電物の帯電面全体に到達し、これにより被除電物の除電が開始される。これにより、被除電物の帯電が非常に短時間で達成される。【００３８】  前述したように、本実施形態によれば、従来のイオナイザーとは異なり、大量のイオンを発生させると共に、人体に有害なオゾンの発生量を抑制することができる。この原理について、図３を用いて、説明する。【００３９】  図３は、本実施形態による除電時の状態を等価回路として示したものである。【００４０】  この等価回路において、Ｃは放電電極、ＣＤは接地電極、Ｔは被除電物であり、ＴＶは交流電源の電源電圧値、Ｒは回路の合計抵抗値、Ｒ１はトランスの内部抵抗値、Ｒ２は配線の抵抗値、Ｒ３は放電時の放��抵抗値、Ｒ４は被除電物の内部抵抗値、Ａは回路電流、Ａ１は送風により被除電物に流れる電流値、Ｖ１は被除電物に印加する電圧である。【００４１】  従来のイオナイザーのように放電電極と接地電極を近接させたとき、具体的には、１ｃｍよりも短くした場合について考察する。【００４２】  トランスの内部抵抗値Ｒ１は１３００Ω、配線の抵抗値Ｒ２は５０００Ωであり、放電電極と接地電極を近接させたときの放電時の放電抵抗値Ｒ３は１０００００Ωであるので、回路全体の抵抗Ｒは、
Ｒ＝Ｒ１＋Ｒ２＋Ｒ３
＝１３００＋５０００＋１０００００＝１０６３００Ω
となる。【００４３】  交流電源の電源電圧値ＴＶは７０００Ｖであるから、回路電流Ａは、
Ａ＝ＴＶ／Ｒ＝７０００／１０６３００＝０．０６６Ａ
となる。【００４４】  この場合、被除電物に印加する電圧Ｖ１、被除電物に流れる電流値Ａ１は、
Ｖ１＝Ｒ３×Ａ＝１０００００×０．０６６＝６６００Ｖ
Ａ１＝Ｖ１／（Ｒ３＋Ｒ４）
＝６６００／（１０００００＋５０００）＝０．０６３Ａ
となる。【００４５】  したがって、被除電物には、イオン発生に寄与する電圧Ｖ１として６６００Ｖが印加され、オゾン発生に寄与する電流Ａ１として、０．０６３Ａが流れることになる。【００４６】  これに対し、本実施形態のように放電電極と接地電極を少なくとも１ｃｍ以上、具体的には、８ｃｍ程度離した場合について同様に考察する。【００４７】  トランスの内部抵抗値Ｒ１は１３００Ω、配線の抵抗値Ｒ２は５０００Ωであり、放電電極と接地電極を近接させたときの放電時の放電抵抗値Ｒ３は８０００００Ωであるので、回路全体の抵抗Ｒは、
Ｒ＝Ｒ１＋Ｒ２＋Ｒ３
＝１３００＋５０００＋８０００００＝８０６３００Ω
となる。【００４８】  交流電源の電源電圧値ＴＶは７０００Ｖであるから、回路電流Ａは、
Ａ＝ＴＶ／Ｒ＝７０００／８０６３００＝０．００８６８Ａ
となる。【００４９】  この場合、被除電物に印加する電圧Ｖ１、被除電物に流れる電流値Ａ１は、
Ｖ１＝Ｒ３×Ａ＝８０００００×０．００８６８＝６９４４Ｖ
Ａ１＝Ｖ１／（Ｒ３＋Ｒ４）
＝６９４４／（８０００００＋５０００）＝０．００８７Ａ
となる。【００５０】  したがって、被除電物には、イオン発生に寄与する電圧Ｖ１として６９４４Ｖが印加され、オゾン発生に寄与する電流Ａ１として、０．００８７Ａが流れることになる。【００５１】  このように、本実施形態の場合には、イオン発生に寄与する電圧Ｖ１は、従来のイオナイザーよりも５％程度大きいが、オゾン発生に寄与する電流Ａ１は、従来のイオナイザーの場合の約１４％と大きく減少する。【００５２】  本願発明者等は、長年の静電気除電方法の鋭意研究の結果、除電に寄与するイオンの発生量はコロナ放電時の電圧に比例し、オゾンの発生量はコロナ放電時に電流に比例しているという知見に至った。したがって、本実施形態によれば、従来よりも多くのイオンを発生させることができ被除電物を効率よく除電し、毒性のあるオゾン発生については従来よりも飛躍的に減少させることができる。【００５３】  本実施形態では、放電電極と接地電極間の間隔を、従来のイオナイザーにおける放電電極と接地電極間の間隔よりも大きくしている。これにより、本実施形態の放電電極は空間に放射し、電圧の全周囲を電気抵抗値が無限大の空気に覆われた電場となる。これを風力により送るので、長距離にわたり送っても電圧が減衰することがなく、イオンの減衰なく除電効果を持続できる。オゾンは長距離にわたり送ると、距離に比例して電気抵抗値が増加するので、オゾンは減衰し、ついには零となる。これにより、離れた被除電物の近傍で作業する作業者への安全を図ることができる。
【実施例】
【００５４】  本実施形態による除電器と、従来と同様な構成のイオナイザーとを用いて、オゾン発生量とイオン発生量について試験を行った。【００５５】  本実施形態の除電器では放電電極と接地電極の間の距離を８ｃｍであり、従来のイオナイザーでは放電電極と接地電極の間の距離は０．６ｃｍである。【００５６】  オゾン発生量については、温度２１．１℃、湿度４８．３％の環境で、５００×６００×５００ｍｍの塩ビ箱内に除電器、イオナイザーを入れ、箱内の空気をオゾン測定器により吸引して測定した。【００５７】  従来のイオナイザーでは、電源投入後、１分後の測定値が０．０２０ｐｐｍであり、時間が経過するにつれ、２分後は０．０５３ｐｐｍ、３分後は０．０８２ｐｐｍ、４分後は０．１０６ｐｐｍ、５分後は０．１２７ｐｐｍ、６分後は０．１４５ｐｐｍ、７分後は０．１５７ｐｐｍ、８分後は０．１６７ｐｐｍ、９分後は０．１７５ｐｐｍ、１０分後は０．１８３ｐｐｍと増大した。【００５８】  これに対し、本実施形態の除電器では、電源投入後、１分後の測定値が０．００７ｐｐｍであり、時間が経過するにつれ、２分後は０．００７ｐｐｍ、３分後は０．００６ｐｐｍ、４分後は０．００７ｐｐｍ、５分後は０．００８ｐｐｍ、６分後は０．００７ｐｐｍ、７分後は０．００７ｐｐｍ、８分後は０．００８ｐｐｍ、９分後は０．００９ｐｐｍ、１０分後は０．００７ｐｐｍと、ほとんど０．００７〜０．００９ｐｐｍの間の毒性の低い値で変化しなかった。したがって、本実施形態の除電器はオゾン発生が無いといえる。【００５９】  イオン発生量については、温度２４．３℃、湿度４８．３％の環境で、本実施形態の除電器から発生するイオンをイオン計数器（″Ａｉｒ  Ｉｏｎ  Ｄｅｎｓｉｔｙ  Ｍｅｔｅｒ  Ｍｏｄｅｌ  １１０″  Ｉｏｎ  Ｓｙｓｔｅｍｓ．Ｉｎｃ．製）により測定した。【００６０】  測定した結果、本実施形態の除電器からは、正イオンが５９０，０００個／秒、発生し、負イオンが６２０，０００個／秒、発生した。これは、従来のイオナイザーが発生する量の２倍以上であった。【００６１】  ［変形実施形態］
本発明は上記実施形態に限らず種々の変形が可能である。【００６２】  例えば、上記実施形態では、ひとつのケース１１としたが、ケース１１の他に別個にコントロールケースを設けるようにしてもよい。【００６３】  また、上記実施形態では、金網フィルタとして、２枚の２ｍｍの網目のステンレス製網部材を用いたが、使用する網部材の網目の大きさ、使用する網部材の枚数等は、上記実施形態に限定されない。
【図面の簡単な説明】
【００６４】
【図１】本発明の一実施形態による除電器の構成を示す図である。
【図２】本発明の一実施形態による除電器の接地電極を示す図である。
【図３】本発明の一実施形態による除電器における除電時の状態の等価回路である。
【符号の説明】
【００６５】１…金網フィルタ
２…接地電極
２ａ、２ｂ…網部材
３…空間
４…放電電極
５…ファンモータ
７…ヒューズ
８…交流電源入力
９…電源開閉器
１０…トランス開閉器
１１…ケース
１２…トランス
１３、１４…接地
１５…電圧調整器
１６…赤色ネオンランプ
１７…青色ネオンランプ
１９…仕切板
【図１】
2007194181.tif 000003
【図２】
2007194181.tif 000004
【図３】
2007194181.tif 000005
【手続補正書】
【提出日】平成18年3月14日(2006.3.14)
【手続補正１】
【補正対象書類名】明細書
【補正対象項目名】全文
【補正方法】変更
【補正の内容】
【発明の詳細な説明】
【特許請求の範囲】
【請求項１】
被除電物の帯電電圧に交流電圧が印加された放射電極より空間に放射された電圧の周囲前面に電気抵抗値無限大の空気層が完全に包囲された電場が発生し、これを風力により電場分線電極を通過させ、サインウェーブ状の高さの細長い電場線条が出来るときの摩擦等で静電気が発生し、これが電場線条に帯電する。
この帯電した電場線条を、風力で被除電物へと送る。  この時電場線条電圧極性と、帯電体の帯電電圧極性とが同極の時は斥力により、電場線条の電圧が、帯電体の帯電電圧を押し出して除電する。  異極の時は引力により、電場線条の帯電電圧が帯電体の帯電電圧を引き取り除電する。
【請求項２】
請求項１記載の除電方式及び除電器において
放射電極と電場分線電極との間隔は、使用される高電圧の３倍以上の交流高電圧を印加しても、コロナ放電が発生しない広い間隔とし、コロナ放電無く、毒性のあるオゾンの発生を防止したことを特徴とする除電方式及び除電器
【請求項３】
請求項１記載の除電方式及び除電器において
放射電極より空間に放射された電圧の周囲全面に電気抵抗値無限大空気層で包囲された電場が風力により移動中、他の導電性物体に接触しても、電気的に電圧が保護されているので、除電器より２ｍ以上離れたところの帯電体の帯電を除電することが出来る特徴のある除電方式及び除電器。
【請求項４】
請求項１記載の除電方式及び除電器において
前記接地された電場分線電極は導電性部材により形成された２×２ｍｍ前後の網目の網部材からなることを特徴とする、除電方式及び除電器。
【発明の詳細な説明】
【技術分野】
【０００１】本発明は被除電物の帯電を除去する除電方式及び除電器に関する。
【背景技術】
【０００２】従来、作業所等で静電気に帯電した被除電物の帯電を除去するには、放電電極と接地電極間に高電圧を印加して、コロナ放電を発生させ空気をイオン化し、これを風力等で被除電物に吹き付けて帯電を除電することが行われている。【０００３】しかしながら、放電電極と接地電極間に高電圧を印加してコロナ放電発生させるとオゾンが大量に発生する。  オゾンは人体に対して毒性があり、作業環境としては望ましくない。  （非特許文献１参照）【０００４】また、コロナ放電により電磁波が発生し、被除電物体がＩＣ等電子部品の場合は電磁波により誤動作したり、電磁波が強力の場合にはＩＣ等が破壊されたりすることがある。【０００５】また、被除電物の帯電を除去するためには風力等により強力にイオン化した空気を吹き付ける必要があり、作業員の呼吸を害したり、軽量な被帯電物を飛散させたりする。【０００６】また、コロナ放電による除電方法は、コロナ放電時に発生する波形が非常に悪いとき、これにつれてイオンバランスが悪く被除電物に逆極性の帯電が発生することがあり充分な除電効果を得ることが出来ない。
【非特許文献１】「オゾンの生体への影響」産業生態研究所  所長  山口裕
【発明の開示】
【発明の解決しょうとする課題】
【０００７】この様に従来のコロナ放電を用いた除電方法は様々な問題があった。
【０００８】本発明の目的は従来のコロナ放電を用いた除電方法による問題を解決した新規な除電方式及び除電器を提供する。
【課題を解決するための手段】
【０００９】本発明の除電方式は、被除電物の帯電電圧に交流電圧が印加された放射電極と前記放射電極から少なくとも２ｃｍ以上離れて設けた、接地された電場分線電極との間に発生した電場を風力により、前記電場分線電極に送り、前記電場分線電極を通過させて出来たサインウェーブ状の高さの細長く数多くの電場線条が出来る。  この操作中の摩擦等の原因により静電気が発生し、電場線条が帯電する。  これを風力で被除電物に送る。  電場線条が＋極電圧の帯電の時、帯電体の帯電電圧が＋極であるときは、斥力により、帯電体の帯電電圧を反発し取り去り除電する。  異極の時は引力により電場線条が帯電体の帯電電圧を引力により引き取り帯電体を除電する。
【００１０】上述した除電方式及び除電器において、前記接地した電場分線電極は導電性部材により形成された網部材からなるようにしてもよい。
【００１１】本発明による除電器は被除電物の帯電電圧に交流電圧が印加された放射電極と少なくとも２ｃｍ以上離れれて設けられた、接地された電場分線電極で発生した、電場線条を送る風力を発生する送風手段とを有し、前記被除電物の帯電を除去することを特徴とする。
【００１２】上述した除電器において、導電性部材より形成された前記網部材は、線材を編んで形成したもの。  又は導電性板材に作孔し形成した物でも良い。
【００１３】上述した除電器において、導電性部材により形成された前記網部材にさらに他の網部材を重ねてもよい。
【００１４】上述した除電器において、前記交流電圧は波形がほぼ正確である商用周波数の交流電圧を昇圧したものであってもよい。
【発明の効果】
【００１５】以上の通り本発明によれば、従来のイオナイザー除電器の放電電極と接地電極間の距離が本発明に於いては前記請求項２に記載の放電電極と接地された電場分線電極に該当する。  放射電極と電場分線電極との間隔は使用される高電圧の３倍以上の高電圧を印加しても、コロナ放電が発生しない広い間隔であり、コロナ放電発生無く、コロナ放電により、発生する毒性のあるオゾンの発生無く、作業員の衛生上安全である。  前記請求項３に記載されているとおり、放電電極より空間に放射された、電圧の周囲全面に電気抵抗値無限大の空気層に包囲された電場線条となるので、この電場線条が他の導電性物体に接触しても漏電することなく交流波形＋極が放射した時は＋極イオン、−極波形の時は−イオン等が交互に発生し、被除電物の帯電体に到達し電場線条の外面を包囲した空気層を静電気的に通過するので広い間隔の除電が出来る特徴のある効果を発揮する。
【一実施形態】
【００１６】本発明の一実施形態による除電器について図面を用いて説明する。  図１は本実施形態の除電器の構成を示す図である。
【００１７】除電器ケース１１は耐電性が高く、絶縁良好で、耐重量性が優れた材質、例えばポリカーボネートにより形成されている。  ケース１１内部は仕切り板１９により上下の空間に分割されている。
【００１８】ケース１１下部の空間には、高電圧を発生するためのトランス１２が設けられている。  トランス１２の低電圧側には、ケース１１壁部に設けられた交流電源入力８から交流電源が入力される。  本実施形態では商用周波数の交流電圧例えば５０Ｈｚ又は６０Ｈｚの１００Ｖの交流電圧が入力される。  トランス１２の高電圧側の一端が放射電極４に接続され、他端が接地１３されている。
【００１９】交流電源入力８とトランス１２の間には電源開閉器９が設けられている。電源開閉器９のトランス側にはヒューズ７が設けられている。  トランス１２の交流電圧の印加をオンオフするためのトランス開閉器１０が設けられている。  更にファンモーター５の強さを調節するための電圧調整器１５とが設けられている。
【００２０】ケース１１には、交流電圧が入力されたことを示す青色ネオンランプ１７と交流電源がトランス１２に印加されたことを示す赤色ネオンランプ１６が設けられている。
【００２１】ケース１１上部空間の中央には交流電圧を印加し、放射するための放射電極４が設けられている。  放射電極４はトランス１２の高電圧側に接続されている。  放射電極４はグラファイト繊維により形成されている。
【００２２】ケース１１の上部空間における放射電極４の右側には接地された電場分線電極２が設けられている。  接地された電場分線電極２は接地１４されている  接地された電場分線電極２は１枚又は複数枚の網部材により構成されている。
【００２３】放射電極４と接地された電場分線電極２により＋極電場と−極電場とが交互に発生する。  放射電極４と接地された電場分線電極２間の距離は従来のイオナイザーの放電電極と接地電極間の距離より特に長くし、コロナ放電発生しない距離に設定されている。
【００２４】従来のイオナイザーでは多量のイオンを発生させるためには大きな放電電流が必要であると考え放電電極と接地電極間の距離を出来るだけ短くしている。  放電電流が多くなると、オゾンが大量に発生することは避けられない。
【００２５】これに対し、本実施形態では、放射電極４と接地された電場分線電極２間の距離を従来のイオナイザーの放電電極と接地電極間の距離よりも長く、具体的には少なくとも２ｃｍ以上になるように設定し放射電極４に交流電圧を印加するようにしている。  これにより、イオンの発生量が増加し、オゾンの発生量をほとんど無くし、被除電物への除電効果を高めることが出来る。  この点についての原理については後述する。
【００２６】ケース１１の上部空間における放射電極４の左側にはファーンモーター５が設けられている。  このファーンモーター５によりケース１１の上部空間に図１の左から右側に流れる風力を発生させる。  これにより、放射電極４と接地された電場分線電極２間の空間３に発生した電場線条を被除電物へと送り、その帯電を除去する。
【００２７】ファンモーター５の左側の空気の吸入口には、吸入する空気から塵埃を除去するためのフィルター６が設けられている。  フィルター６は例えばポリウレタンホームにより形成されている。
【００２８】接地された電場分線電極２の右側の空気放出口兼電場線条等の放出口側に異物が装置内に入ることを防ぐために、金網フィルター１が設けられている。  金網フィルター１として、例えば網目が１０ｍｍ前後のステンレス製の網部材等を組み合わせて形成する。  この金網フィルター１も接地された電場分線電極２と同様に接地１４されている。
【００２９】次に、本実施形態による除電器の動作について説明する。
【００３０】静電気を除電する対象である被除電物（図示せず）に、上部空間の空気の放出口が向くようにケース１１を設置する。  そして、ケース１１の交流電源入力８に商用周波数の交流電源を接続する。
【００３１】除電する場合には、まずケース１１の電源開閉器９をオンする。  青色ランプ１７の点灯により交流電源が入力されたことを確認する。  また、ファーンモーター５が回転して、ケース１１の上部空間において左側の吸入口から空気を吸入して、右側の放出口に空気が放出される空気の流れが形成される。
【００３２】次にトランス開閉器１０をオンする。  ケース１１の赤色ネオンランプ１６の点灯により高電圧が印加されたことを確認する。
【００３３】次に電場分線電極２を接地した状態で、被除電物に適した交流の高電圧を放射電極４に印加する。  被除電物が帯電したときの帯電電圧を前もって測定又は予測しておき、その帯電電圧に交流の高電圧を印加する。
【００３４】交流の高電圧の＋極の電圧が放射電極４に印加されると、放射電極より空間３の空気中に＋極の電圧が放射された電圧の周囲を電気抵抗値無限大の空気層が電圧の全面を完全に包囲された電場が発生し、これを風力により、接地された、電場分線電極２を通過し、サインウェーブ状の高さに細長い電場線条が発生し、これが空間に放出される。  この放出された電場線条の各線条とも同極であり、斥力により、各く隣同士が互いに反発作用が発生するが、他の隣同士の反発により、解放することが出来ずに、一定の細い間隔で電場線条がほぼ平行に並んだまま、被除電物に送られた電場線条が＋−極が交互に到達するので、帯電体を非常に除電範囲を細別し除電されるので、除電時間が非常に短時間でムラ無く広範囲を除電することが出来る特徴がある除電方式及び除電器。
【００３５】特に本発明の除電器は細い電場線条が除電範囲を細別し除電時間が非常に短くムラ無く除電するので、高速度で移動中のフィルム等の被除電物をムラ無く除電することが出来る特徴がある。
【００３６】本願発明者は長年の静電気除電方式の鋭意研究の結果、除電に寄与するイオンの発生量はコロナ放電時の電圧に比例し、オゾン発生量はコロナ放電時の電流に比例していることを知見に至った。  したがって本実施形態によれば、従来よりも多くのイオンを発生させることができ被除電物を効率よく除電し、毒性のあるオゾン発生については従来より飛躍的に減少又は皆無にすることができる。
【００３７】次に静電気の考えを一時停止して、商用周波数の交流電圧波高値の測定を思い出して、電圧最大値測定による。  球ギャップの高電圧測定法を思い出し、１ｃｍの時放電開始電圧は３１．２ＫＶである。  この電圧以下では球ギャップ１ｃｍ間は放電しない。  放電しなければコロナ放電は発生しないことになると毒性のあるオゾンの発生もない。
【００３８】上記のことを考慮し、本除電器の放射電極は径７μｍ×１０００本であり、接地電極となる物は、接地された電場分線電極で、径０．１ｍｍ前後のステンレス線で２×２ｍｍ前後の網目の金網等両電極間に商用周波数５０Ｈｚの７ＫＶを印加している。  両極間にはコロナ放電が停止するまで広間隔にしたところ、０．７ｃｍで放電が無くなった。  安全率を入れて、放射電極４と電場分線電極２との間隔を２ｃｍ以上にした。  コロナ放電の発生が無くなったので毒性のあるオゾンの発生も皆無となり、作業員の衛生上安全であることを取り入れたことを特徴とした除電方式及び除電器にしたものである。
【００３９】本発明の除電効果が抜群で良好である理由として、被除電物の帯電電圧に交流電圧を印加した放射電極４より空間３に放射された電圧の周囲全面に電気抵抗値無限大の空気層が包囲された電場が出来る。  この電場が風力で移動中、他の導電性物体等に接触しても、漏電しない。  この電場を風力により、電場分線電極を通過させてサインウェーブ状の長さの細長い電場線条が多数本発生する。  この操作中の摩擦等が原因により静電気が発生し、電場線条が帯電する。  これを風力で被除電物に送る。  電場線条が＋極帯電の時、帯電体の帯電電圧が＋極で両者が同極の時は斥力で交互に反発し、帯電体より帯電電圧を放出されて、帯電体が除電される。  両極が異極の時は引力により、電場線条電圧が帯電体より帯電電圧を引き取り帯電体を除電する。  要するに両帯電電圧が＋極でも−極でも又異極でも、同極でも除電効果がある等、最高なる能率を発揮する除電効果がある特徴の除電方式及び除電器である。
【００４０】本実施形態の除電器の放射電極と電場分線電極との間隔を８ｃｍにして、オゾンの発生や除電効果の実験を行ったところ、オゾンの発生も前記２ｃｍ以上の時とは同じで、オゾンの発生が皆無であり除電効果も殆ど変化が発見することも出来なかった。
【実施例】
【００４１】本実施形態による除電器と従来と同様な構成のイオナイザーとを用いてオゾン発生量について試験を行った。【００４２】オゾン発生量については、温度２１．１℃、湿度４８．３％の環境で５００×５００×６００ｍｍの塩ビ箱内に本発明の除電器を入れて測定が終わり、次に除電器を出し、イオナイザーを入れ、箱内の空気をオゾン測定により吸引して測定した。【００４３】従来のイオナイザーでは、電源投入後１分後の測定値が０．０２０ｐｐｍであり、時間が経過するにつれて、２分後０．０５３ｐｐｍ、３分後０．０８２ｐｐｍ、４分後０．１０６ｐｐｍ、５分後０．１２７ｐｐｍ、６分後０．１４５ｐｐｍ、７分後０．１５７ｐｐｍ、８分後０．１６７ｐｐｍ、９分後０．１７５ｐｐｍ、１０分後０．１８３ｐｐｍと増大した。【００４４】これに対し、本実施形態の除電器では、電源投入後、１分後の測定値０．００７ｐｐｍ、２分後０．００７ｐｐｍ、３分後０．００６ｐｐｍ、４分後０．００７ｐｐｍ、５分後０．００８ｐｐｍ、６分後０．００７ｐｐｍ、７分後０．００７ｐｐｍ、８分後０．００８ｐｐｍ、９分後０．００９ｐｐｍ、１０分後０．００７ｐｐｍと、殆ど０．００７〜０．００９ｐｐｍの間に毒性の低い値で変化しなかった。  したがって本実施形態の除電器はオゾン発生が無いといえる。【００４５】イオン発生量については、温度２４．３℃、湿度４８．３％の環境で本実施形態の除電器から発生するイオンをイオン計数器（”Ａｉｒ  Ｉｐｎ  Ｄｅｎｓｉｔｙ  Ｍｅｔｅｒ  Ｍｏｄｅｌ  １１０”Ｉｏｎ  Ｓｙｓｔｅｍｓ  Ｉｎｃ製）により測定した。【００４６】測定した結果本実施形態の除電器からは、正イオンが５９０，０００個／秒、負イオンが６２０，０００個／秒発生した。  これは従来のイオナイザーが発生する量の２倍以上であった。
【変形実施形態】
【００４７】本発明は上記実施形態に限らず種々の変形が可能である。
【００４８】例えば上記実施形態では、ひとつのケース１１としたが、ケース１１の他に別にコントロールケースを設けてもよい。
【００４９】また上記実施形態で電場分線電極の網目を２×２ｍｍとしたが１×１〜５×５ｍｍ網目に又は各網目間隔を色々と変化してもよい。
【図面の簡単な説明】
【００５０】
【図１】本発明の一実施形態による除電器の機構を示す図である。
【符号の説明】
【００５１】１・・・・金網フィルター
２・・・・電場分線電極
３・・・・空間
４・・・・放射電極
５・・・・ファーンモーター
６・・・・フィルター
７・・・・ヒューズ
８・・・・交流電源入力
９・・・・電源開閉器
１０・・・トランス開閉器
１１・・・ケース
１２・・・トランス
１３・・・接地
１４・・・接地
１５・・・電圧調整器
１６・・・赤色ネオンランプ
１７・・・青色ネオンランプ
１９・・・仕切版
【手続補正書】
【提出日】平成18年5月18日(2006.5.18)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【発明の詳細な説明】
【技術分野】
【０００１】      本発明は被除電物の帯電を除去する除電方式及び除電器に関する。
【背景技術】
【０００２】      従来、作業所等で静電気に帯電した被除電物の帯電を除去するには、放電電極と接地電極間に高電圧を印加して、コロナ放電を発生させ空気をイオン化し、これを風力等で被除電物に吹き付けて帯電を除電することが行われている。【０００３】      しかしながら、放電電極と接地電極間に高電圧を印加してコロナ放電発生させるとオゾンが大量に発生する。  オゾンは人体に対して毒性があり、作業環境としては望ましくない。（非特許文献１参照）【０００４】      また、コロナ放電により電磁波が発生し、被除電物体がＩＣ等電子部品の場合は電磁波により誤動作したり、電磁波が強力の場合にはＩＣ等が破壊されたりすることがある。【０００５】      また、被除電物の帯電を除去するためには風力等により強力にイオン化した空気を吹き付ける必要があり、作業員の呼吸を害したり、軽量な被帯電物を飛散させたりする。【０００６】      また、コロナ放電による除電方法は、コロナ放電時に発生する波形が非常に悪いとき、これにつれてイオンバランスが悪く被除電物に逆極性の帯電が発生することがあり充分な除電効果を得ることが出来ない。        （非特許文献１）「オゾンの生体への影響」産業生態研究所  所長  山口裕
【発明の開示】
【発明の解決しょうとする課題】
【０００７】      この様に従来のコロナ放電を用いた除電方法は様々な問題があった。
【０００８】      本発明の目的は従来のコロナ放電を用いた除電方法による問題を解決した新規な除電方式及び除電器を提供する。
【課題を解決するための手段】
【０００９】      本発明の除電方式は、被除電物の帯電電圧に交流電圧が印加された放射電極と前記放射電極から少なくとも２ｃｍ以上離れて設けた、接地された電場分線電極との間に発生した電場を風力により、前記電場分線電極に送り、前記電場分線電極を通過させて出来たサインウェーブ状の高低の形状の変化に従った細長く数多くの電場線条が出来る。  この操作中の摩擦等の原因により静電気が発生し、電場線条が帯電する。  これを風力で被除電物に送る。  電場線条が＋極電圧の帯電の時、帯電体の帯電電圧が＋極であるときは、同極であり斥力により、帯電体の帯電電圧を反発し取り去り除電する。  異極の時は電場線条が帯電体の帯電電圧を引力により引き取り帯電体を除電する。
【００１０】      上述した除電方式及び除電器において、前記接地した電場分線電極は導電性部材により形成された網部材からなるようにしてもよい。
【００１１】      本発明による除電器は被除電物の帯電電圧に交流電圧が印加された放射電極と少なくとも２ｃｍ以上離れれて設けられた、接地された電場分線電極で発生した、電場線条を送る風力を発生する送風手段とを有し、前記被除電物の帯電を除去することを特徴とする。
【００１２】      上述した除電器において、導電性部材より形成された前記網部材は、線材を編んで形成したもの。  又は導電性板材に作孔した形成した物でも良い。
【００１３】      上述した除電器において、導電性部材により形成された前記網部材にさらに他の網部材を重ねてもよい。
【００１４】      上述した除電器において、前記交流電圧は波形がほぼ正確なサインウェブの交流電圧を昇圧したものであってもよい。
【発明の効果】
【００１５】      以上の通り本発明によれば、従来のイオナイザー除電器の放電電極と接地電極間の距離が本発明に於いては前記請求項２に記載の放電電極と接地された電場分線電極に該当する。  放射電極と電場分線電極との間隔は使用される高電圧の交流電源電圧を印加しても、コロナ放電が発生しない広い間隔であり、コロナ放電発生無く、作業員の衛生上安全である。  前記請求項３に記載されているとおり、放電電極より空間に放射された、電圧の周囲全面に電気抵抗値無限大の空気層に包囲された電場線条となるので、この電場線条が他の導電性物体に接触しても空気層により電気的に絶縁されているので漏電することなく、交流波形＋極が放射した時は＋極電圧、−極波形の時は−電圧等が交互に発生し、被除電物の帯電体に到達して電場線条の外面を包囲した空気層は電気的絶縁がよいので、静電気的に誘導するので広い間隔の範囲が除電が出来る特徴のある効果を発揮する。
【一実施形態】
【００１６】      本発明の一実施形態による除電器について図面を用いて説明する。  図１は本実施形態の除電器の構成を示す図である。
【００１７】      除電器ケース１１は耐電性が高く、絶縁良好で、耐重量性が優れた材質、例えばポリカーボネートにより形成されている。  ケース１１内部は仕切り板１９により上下の空間に分割されている。
【００１８】      ケース１１下部の空間には、高電圧を発生するためのトランス１２が設けられている。  トランス１２の低電圧側には、ケース１１壁部に設けられた交流電源入力８から交流電源が入力される。  本実施形態では商用周波数の交流電圧例えば５０Ｈｚ又は６０Ｈｚの１００Ｖの交流電圧が入力される。  トランス１２の高電圧側の一端が放射電極４に接続され、他端が接地１３接続されている。
【００１９】      交流電源入力８とトランス１２の間には電源開閉器９が設けられている。  電源開閉器９のトランス側にはヒューズ７が設けられている。  トランス１２の交流電圧の印加をオンオフするためのトランス開閉器１０が設けられている。  更にファンモーター５の強さを調節するための電圧調整器１５とが設けられている。
【００２０】      ケース１１には、交流電圧が入力されたことを示す青色ネオンランプ１７と交流電源がトランス１２に印加されたことを示す赤色ネオンランプ１６が設けられている。
【００２１】      ケース１１上部空間の中央には交流電圧を印加し、放射するための放射電極４が設けられている。  放射電極４はトランス１２の高電圧側に接続されている。  放射電極４はグラファイト繊維により形成されている。
【００２２】      ケース１１の上部空間における放射電極４の右側には接地された電場分線電極２が設けられている。  接地された電場分線電極２は接地１４されている。  接地された電場分線電極２は接地１４されている。  接地させた電場分線電極２は１枚又は複数枚の網部材により構成されている。
【００２３】      放射電極４と接地された電場分線電極２により＋極電場と−極電場とが交互に発生する。  放射電極４と接地された電場分線電極２間の距離は従来のイオナイザーの放電電極と接地電極間の距離より特に長くし、コロナ放電発生しない距離に設定されている。
【００２４】      従来のイオナイザーでは多量のイオンを発生させるためには大きな放電電流が必要であると考え放電電極と接地電極間の距離を出来るだけ接近している。  放電電流が多くなると、オゾンが大量に発生することは避けられない。
【００２５】      これに対し、本実施形態では、〔特許請求の範囲〕の〔請求項２〕による放射電極と電場分線電極との間隔は、使用される高電圧の３倍以上の交流電圧を印加しても、コロナ放電が発生しない広い間隔とし、コロナ放電発生無く毒性のあるオゾンの発生を皆無とし作業員の衛生を第一とした。
【００２６】      本実施形態では、コロナ放電を使用していないので除電効果のあるイオンの発生がないので、除電効果として〔特許請求の範囲〕の〔請求項１〕を採用する。      被除電物の帯電電圧に交流電圧が印加された放電電極より空間に放射された電圧の周囲全面に空気抵抗値無限大の空気層が完全に包囲された電場が発生し、これを風力により電場分線電極を通過させ、＋極と−極との交互変化するサインウェーブ状の細長い電場線条が出来るときの摩擦等で静電気が発生し、これが電場線条に帯電する。      この帯電した電場線条を、風力で被除電物へと送る。  この時電場線条電圧極性と帯電体の帯電電圧極性とが同極の時は斥力により、電場線条の電圧が、帯電体の帯電電圧を反発により押し出して除電する。  異極の時は引力により、電場線条の帯電電圧が帯電体の帯電電圧を引き抜き除電する。
【００２７】      本実施形態では、オゾンの発生量をほとんど無く、被除電物への除電効果を高めることが出来る。
【００２８】      ケース１１の上部空間における放射電極４の左側にはファーンモーター５が設けられている。  このファーンモーター５によりケース１１の上部空間に図１の左から右側に流れる風力を発生させる。  これにより、放射電極４と接地された電場分線電極２間の空間３に発生した電場線条を被除電物へと送り、その帯電を除去する。
【００２９】      ファンモーター５の左側の空気の吸入口には、吸入する空気から塵埃を除去するためのフィルター６が設けられている。  フィルター６は例えばポリウレタンホームにより形成されている。
【００３０】      接地された電場分線電極２の右側の空気放出口兼電場線条等の放出口側に異物が装置内に入ることを防ぐために、金網フィルター１が設けられている。金網フィルター１として、例えば網目が１０ｍｍ前後のステンレス製の網部材等を組み合わせて形成する。  この金網フィルター１も接地された電場分線電極２と同様に接地１４されている。
【００３１】      次に、本実施形態による除電器の動作について説明する。
【００３２】      静電気  を除電する対象である被除電物（図示せず）に、上部空間の空気の放出口が向くようにケース１１を設置する。  そして、ケース１１の交流電源入力８に商用周波数の交流電源ＡＣ１００Ｖ５０ＩＩｚ又は６０ＩＩｚを接続する。
【００３３】      除電する場合には、まずケース１１の電源開閉器９をオンする。  青色ランプ１７の点灯により交流電源が入力されたことを確認する。  また、ファーンモーター５が回転して、ケース１１の上部空間において左側の吸入口から空気を吸入して、右側の放出口に空気が放出される空気の流れが形成される。
【００３４】      次にトランス開閉器１０をオンする。  ケース１１の赤色ネオンランプ１６の点灯により高電圧が印加されたことを確認する。
【００３５】      次に電場分線電極２を接地した状態で被除電物に適した交流の高電圧を放射電極４に印加する。  被除電物が帯電したときの帯電電圧を前もって測定又は予測しておき、その帯電電圧に交流の高電圧を印加する。
【００３６】      交流の高電圧の＋極の電圧が放射電極４に印加されると、放射電極より空間３の空気中に＋極の電圧が放射された電圧の周囲を電気抵抗値無限大の空気層が高電圧の全面を完全に包囲された電場が発生し、これを風力により、接地された、電場分線電極２を通過し、サインウェーブ状の高低の変化に従った細長い電場線条が発生し、これが空間に放出される。  この放出された電場線条の各線条とも同極であり、斥力により、各く隣同士が互いに反発作用が発生するが、他の隣同士の反発により、解放することが出来ずに、一定の細い間隔で電場線条がほぼ平行に並んだまま、被除電物に送られた電場線条が＋−極が交互に到達するので、帯電体を非常に除電範囲を細別し除電されるので除電時間が非常に短時間でムラ無く広範囲を除電することが出来る特徴がある除電方式及び除電器。
【００３７】      本発明の除電器は細い電場線条が除電範囲を細別し除電時間が非常に短くムラ無く除電するので、高速度で移動中のフィルム等の被除電物をムラ無く除電することが出来る特徴がある。
【００３８】      次に静電気の考えを一時停止して、商用周波数の交流電圧の測定を思い出して、電圧最大値測定による。  球ギャップの高電圧測定法で、放電間隔１ｃｍの時、放電開始電圧は３１．２ＫＶである。  この電圧以下では球ギャップ１ｃｍ間隔では放電しない。  放電しなければコロナ放電発生せず、毒性のあるオゾンの発生もない。
【００３９】      上記のことを考慮し、本除電器の放射電極は径７μｍ×１０００本が１放電電極であり、接地電極となるものは、接地された電場分線電極で、径０．１ｍｍ前後のステンレス線で２×２ｍｍ前後の網目の金網で、両電極間に商用周波数５０Ｈｚの７ＫＶを印加している。  両極間にはコロナ放電が停止するまで広間隔にしたところ、０．７ｃｍで放電が無くなり、安全率を入れて、放射電極４と電場分線電極２との間隔を２ｃｍ以上にした。  コロナ放電の発生が無くなり毒性のあるオゾンの発生も皆無となり、作業員の衛生上安全であることを取り入れたことを特徴とした除電方式及び除電器にしたものである。
【００４０】      本発明の除電効果が抜群で良好である理由として、被除電物の帯電電圧に交流電圧を印加した放射電極４より空間３に放射された電圧の周囲全面に電気抵抗値無限大の空気層が包囲された電場が出来る。  この電場が風力で移動中、他の導電性物体等に接触しても、空気層は完全な絶縁であり漏電しない。  この電場を風力により、電場分線電極を通過させて、サインウェーブ状の電圧の高低の変化がある長さの細長い電場線条が多数本発生する。  この操作中の摩擦等が原因により静電気が発生し、電場線条が帯電する。  この操作中の摩擦等が原因により静電気が発生し、これが電場線条に帯電し、これを風力で被除電物に送る。  電場線条電圧が＋極帯電の時、帯電体の帯電電圧が＋極で両者が同極の時はクーロンの法則により斥力で反発するので、電場線条電圧は帯電体の帯電電圧を反発し、放出して、帯電体が除電する。  両極の電圧極性が異極の時は電場線条電圧が帯電体より帯電電圧を引き取り帯電体を除電する。  要するに両帯電電圧が＋極でも−極でも又同極でも、異極でも除電効果が抜群であり、毒性のあるオゾンの発生皆無であり、作業員が安全に又衛生上最高な除電方式及び除電器である。
【００４１】      本実施形態の除電器の放射電極と電場分線電極との間隔を８ｃｍにして、オゾンの発生や除電効果の実験を行ったが、オゾンの発生も前記２ｃｍ以上の時とは同じで、オゾンの発生が皆無であり除電効果も殆ど変化が発見することも出来なかった。
【実施例】
【００４２】      本実施形態による除電器と従来と同様な構成のイオナイザーとを用いてオゾン発生量について試験を行った。【００４３】      オゾン発生量については、温度２１．１℃、湿度４８．３％の環境で５００×５００×６００ｍｍの塩ビ箱内に本発明の除電器を入れて測定が終わり、次に除電器を出し、イオナイザーを入れ、箱内の空気をオゾン測定により吸引して測定した。【００４４】      クリンルーム内が０．００７ｐｐｍ内に従来のイオナイザー除電器を入れて、電源投入後１分後の測定値が０．０２０ｐｐｍであり、時間が経過するにつれて、２分後０．０５３ｐｐｍ、３分後０．０８２ｐｐｍ、４分後０．１０６ｐｐｍ、５分後０．１２７ｐｐｍ、６分後０．１４５ｐｐｍ、７分後０．１５７ｐｐｍ、８分後０．１６７ｐｐｍ、９分後０．１７５ｐｐｍ、１０分後０．１８３ｐｐｍと増大した。【００４５】      これに対し、本実施形態の除電器では、電源投入後、１分後の測定値０．００７ｐｐｍ、２分後０．００７ｐｐｍ、３分後０．００６ｐｐｍ、４分後０．００７ｐｐｍ、５分後０．００８ｐｐｍ、６分後０．００７ｐｐｍ、７分後０．００７ｐｐｍ、８分後０．００８ｐｐｍ、９分後０．００９ｐｐｍ、１０分後０．００７ｐｐｍと、殆ど０．００７〜０．００９ｐｐｍの間に毒性の低い値で変化しなかった。  したがって本実施形態の除電器はオゾン発生が無いといえる。【００４６】      イオン発生量については、温度２４．３℃、湿度４８．３％の環境で本実施形態の除電器から発生するイオンをイオン計数器（”Ａｉｒ  Ｉｐｎ  Ｄｅｎｓｉｔｙ  Ｍｅｔｅｒ  Ｍｏｄｅｌ  １１０”Ｉｏｎ  Ｓｙｓｔｅｍｓ  Ｉｎｃ製）により測定した。【００４７】      測定した結果本実施形態の除電器からは、正イオンが５９０，０００個／秒、負イオンが６２０，０００個／秒発生した。  これは従来のイオナイザーが発生する量の２倍以上であった。
【変形実施形態】
【００４８】      本発明は上記実施形態に限らず種々の変形が可能である。
【００４９】      例えば上記実施形態では、ひとつのケース１１としたが、ケース１１の他に別にコントロールケースを設けてもよい。
【００５０】      また上記実施形態で電場分線電極の網目を２×２ｍｍとしたが１×１〜５×５ｍｍ網目に又は各網目間隔を色々と変化してもよい。
【図面の簡単な説明】
【図１】本発明の一実施形態による除電器の機構を示す図である。
【図２】本発明の電場分線電極２枚の網部材による構成図である。
【符号の説明】
１・・・・金網フィルター      ２・・・・電場分線電極      ３・・・・空間      ４・・・・放射電極      ５・・・・ファーンモーター      ６・・・・フィルター      ７・・・・ヒューズ      ８・・・・交流電源入力      ９・・・・電源開閉器      １０・・・トランス開閉器      １１・・・ケース      １２・・・トランス      １３・・・接地      １４・・・接地      １５・・・電圧調整器      １６・・・赤色ネオンランプ      １７・・・青色ネオンランプ      １９・・・仕切版      ２ａ・・・網部材      ２ｂ・・・網部材
【手続補正２】
【補正対象書類名】手続補正書
【補正対象項目名】手続補正２
【補正方法】追加
【補正の内容】
【手続補正２】
【補正対象書類名】特許請求の範囲
【補正対象項目名】全文
【補正方法】変更
【補正の内容】
【特許請求の範囲】
【請求項１】
被除電物の帯電電圧の交流電圧が印加された放射電極より空間に放射された電圧の周囲前面に電気抵抗値無限大の空気層が完全に包囲された電場が発生し、これを風力により電場分線電極を通過させ、サインウェーブ状の細長い電場線条が出来るときの摩擦等で静電気が発生し、これが電場線条に帯電する。            この帯電した電場線条を、風力で被除電物へと送る。  この時電場線条電圧極性と、帯電体の帯電電圧極性とが同極の時は斥力により、電場線条の電圧が、帯電体の帯電電圧を反発により押し出して除電する。  異極の時は引力により、電場線条の帯電電圧が帯電体の帯電電圧を引き抜き除電する。
【請求項２】
請求項１記載の除電方式及び除電器において、放射電極と電場分線電極との間隔は、使用される高電圧の交流高電圧を印加しても、コロナ放電が発生しない広い間隔とし、コロナ放電発生無く、毒性のあるオゾンの発生を皆無にしたことを特徴とする除電方式及び除電器
【請求項３】
請求項１記載の除電方式及び除電器において、放射電極より空間に放射された電圧の周囲全面に電気抵抗値無限大の空気層で包囲された電場が出来てこれが風力により移動中、他の導電性物体に接触しても、電気的に電圧が保護されているので、除電器より２ｍ以上離れたところの除電体を除電することが出来る特徴のある除電方式及び除電器。
【請求項４】
請求項１記載の除電方式及び除電器において、前記接地された電場分線電極は導電性部材により形成された２×２ｍｍ前後の網目の網部材からなることを特徴とする除電方式及び除電器。
【手続補正３】
【補正対象書類名】手続補正書
【補正対象項目名】手続補正３
【補正方法】追加
【補正の内容】
【手続補正３】
【補正対象書類名】図面
【補正対象項目名】全文
【補正方法】変更
【補正の内容】
【図１】
2007194181.tif 000006
【図２】
2007194181.tif 000007